(57)【要約】      （修正有）【課題】番号または指摘内容などを記入でき、マーカーの色が客体に転移せず、抓み部が客体から容易に剥がすことができるマーキングテープを提供する。【解決手段】支持体の表側１を微塗工して剥離剤を塗布し、裏側に粘着材を塗布した基材を形成して、その基材の幅と同等の幅にした厚紙を正方形または長方形に成型して、基材の裏側の先端から末端に向けて接合し、さらに厚紙を包むように折り返して抓み部１ａを設けた短冊状紙片とする。さらに、成型した板紙または加工板の表側に剥離剤を塗布して基盤６を形成し、その基盤６の表側に短冊状紙片の裏側を向けて一定間隔でずらし重ねて接着配列する。それにより、短冊状紙片を基盤６に配列した状態で番号や指摘内容を記入することができる。さらに基材の表側を微塗工したことでマーカーの色が客体に転移することを防ぐ。また、抓み部１ａに厚紙を挟んだことで客体から容易に剥がすことができる。【選択図】図４
2020199751.tif 000002
【特許請求の範囲】
【請求項１】
使用用途の幅に設定したポリエチレンクロスを支持体として、当該支持体の表側に微塗工のうえ▲剥▼離剤を塗布し、裏側に粘着材を塗布した基材において、
前記基材の部品となる厚紙を前記基材と同等の幅の正方形または長方形に成型して、前記基材の一方を先端、他方を末端として、前記正方形または長方形に成型した厚紙を前記基材の裏側の先端から末端に向けて接着し、さらに前記接着した厚紙を挟むように前記基材の裏側へ折り返して接着した部位を抓み部として、当該抓み部の抓先から前記末端までを使用用途に応じた寸法の短冊状紙片に形成し、
前記短冊状紙片を配列する板紙または加工板を使用用途に応じた寸法に成型し、当該成型した板紙または加工板の表側に▲剥▼離剤を塗布した基盤に形成して、
前記基盤の表側に前記短冊状紙片を一定の間隔でずらし重ねて接着配列したことを特徴とするマーキングテープ。
【請求項２】
前記基盤へ前記短冊状紙片をずらし重ねて接着配列した状態でマーカーで記入できることを特徴とする請求項１に記載のマーキングテープ。
【請求項３】
前記短冊状紙片の表側を微塗工処理したことにより、マーカーのインクが客体に転移しないことを特徴とする請求項１と２に記載のマーキングテープ
【請求項４】
前記短冊状紙片の抓み部に厚紙を挟んだことにより、客体から容易に剥がせることを特徴とする請求項１から３に記載のマーキングテープ。
【発明の詳細な説明】
【技術の分野】
【０００１】  本発明は、マーキングが迅速にできるマーキングテープに関するものである。
【背景技術】
【０００２】  検収や検品時の不良箇所が逸早く見つかるように三角マークを有したシール状のマーキング専用テープと、同じように三角マークを有してミシン目を設けたロール状のマーキング専用テープがある。
【先行技術文献】
【特許文献】
【０００３】
【特許文献１】実登３１９０５３６
【特許文献２】実登３１９７０７２
【発明の概要】
【発明が解決しようとする課題】
【０００４】  前記三角形を印した両方のマーキング専用テープは、指摘箇所を逸早く見つけるのを目的としているため、建築工事現場などで必須事項である番号または指摘内容などが記入できないという課題がある。【０００５】  前記三角形を印したマーキング専用テープは、指摘箇所に安定して接着させるために、指摘箇所に接する面のほぼ全面または全面に粘着剤を塗布しており、指摘箇所から容易に剥がせないという課題がある。【０００６】  さらに、マーキングテープは指摘箇所に一時的に張りつける消耗品であるため、付箋のような安価が求められるが、前記三角形を印したマーキング専用テープは製造過程が複雑になっているため、高価になるという課題がある。【０００７】  また、建築工事現場では、養生テープをマーキングテープに使用していることは広く知られているが、客体である資材または仕上げ材の指摘箇所に張ってから番号または指摘内容を記入しているため、はみだして記入するという課題と、客体から容易に剥がせるようにテープの先端側を折り返して粘着面同士を接着して抓み部を設けてあるが、抓み部が客体に密着して容易に剥がせないという課題がある。
【課題を解決するための手段】
【０００８】  本発明は、使用用途の幅に設定したポリエチレンクロスを支持体として、当該支持体の表側に微塗工のうえ▲剥▼離剤を塗布し、裏側に粘着剤を塗布した基材を形成し、当該基材の部品となる厚紙を当該基材と同等の正方形または長方形に成型して、【０００９】  前記基材の一方を先端、他方を末端として、前記正方形または長方形に成型した厚紙を前記基材裏側の先端から末端へ向けて接着し、前記厚紙を前記基材の幅に合わせて接着し、さらに接着した前記厚紙を包み込むように、前記基材の裏側へ折り返して接着した部位を抓み部分とし、当該抓み部の抓先から末端までを使用用途に応じた寸法の短冊状紙片に形成する。【００１０】  前記短冊状紙片を配列する板紙または加工板を使用用途に応じた寸法に成型し、当該成型した板紙または加工板の表側に▲剥▼離剤を塗布した基盤に形成して、【００１１】  前記基盤の表側に前記短冊状紙片の裏側を前記基盤の表側に向けて一定の間隔でずらし重ねて接着配列する。【００１２】  前記短冊状紙片は、使用用途によって色分けすることも可能である。
また、一つの基盤に同じ寸法の短冊状紙片を配列することも可能であり、寸法の異なる短冊状紙片を配列することも可能である。【００１３】  以上の手段によって課題を解決した本発明は、以下の効果を奏する。
【発明の効果】
【００１４】  短冊状紙片を基盤にずらし重ねて接着配列した状態で番号または指摘内容を記入することができる効果がある【００１５】  短冊状紙片の表側を微塗工したことにより、マーキングペンのインクが客体に転移しない効果がある。【００１６】  また、短冊状紙片を用途別に色分けすることにより、業者が自己の指摘箇所を逸早く見つけることができる効果もある。【００１７】  さらに短冊状紙片の抓み部に厚紙を挟んだことにより、前記抓み部が客体から浮き上がるため容易に剥がせる効果がある。
【図面の簡単な説明】
【００１８】
【図１】  短冊状紙片の表側平面図
【図２】  図１の側面図
【図３】  短冊状紙片の裏側平面図
【図４】  短冊状紙片を基盤に接着して配列した平面図
【００１９】  本発明の実施の形態を図１〜図４に基づいて説明する。【００２０】  図１と図３は、使用用途に応じた幅に設定したポリエチレンクロス支持体の表側（１）に微塗工のうえ▲剥▼離剤を塗布し、裏側（２）に粘着剤を塗布した基材に、当該基材と同じ幅の正方形または長方形に成型した厚紙（５）を、前記基材の先端（３）から末端（４）に向けて接着し、さらに前記接着した厚紙を挟むに前記基材を裏側へ折り返した部位を抓み部（１ａ）とし、その抓み部の抓先（１ｂ）から前記末端（４）までを使用用途に応じた寸法にした短冊状紙片の表側と裏側の平面図である
図２は、抓み部（１ａ）の様相が分かるようにした図１の側面図である。【００２１】  図４は、板紙または加工板を使用用途に応じた寸法に成型して、表側に▲剥▼離剤を塗布した基盤（６）に、前記短冊状紙片の裏側を前記基盤の表側へ向けて、一定の間隔でずらし重ねて接着配列した平面図である。
尚、実用では、同じ寸法の短冊状紙片または寸法の異なる短冊状紙片を１０枚、２０枚、５０枚、１００枚、２００枚などと、定数を一組として給する。
【産業上の利用可能性】
【００２２】  建築工事現場では、点検検査、社内検査、施主検査、竣工検査、内覧会検査など、検査が何度もあり、部屋数の多い超高層マンションになると指摘箇所も膨大な数に上るため、迅速なマーキングが不可欠であり、本発明はそれに対応できるマーキングテープとして産業上有用である。
【符号の説明】
【００２３】  １    表側
１ａ  抓み部
１ｂ  抓先
２    裏側
３    先端
４    末端
５    厚紙
６    基盤
【図１】
2020199751.tif 000003
【図２】
2020199751.tif 000004
【図３】
2020199751.tif 000005
【図４】
2020199751.tif 000006